(57)【特許請求の範囲】
【請求項１】
略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、前記回転ドラムの前面開口部に対応する外槽の開口部とボデーの前面開口部との間を連結した略筒状のパッキング部材とを備え、前記パッキング部材は、その長さ方向を部分的に後方かつ内方へ折り返すことにより外周側に膨出した膨出部を形成し、前記パッキング部材の内方へ折り返した内方突出部の先端には、前記膨出部を部分的に覆い径方向の厚みが回転軸方向の高さ寸法より小さい略環状の障壁部を一体に形成するとともに、前記回転ドラムの前面開口部と前記略環状の障壁部との間に前記略環状の障壁部に対向するようにリブを設けたドラム式洗濯機。
【発明の詳細な説明】
【０００１】
【発明の属する技術分野】
本発明は、略水平方向の回転軸を中心に回転自在に配設したドラム内で洗濯物を洗濯、すすぎ、脱水するドラム式洗濯機に関するものである。
【０００２】
【従来の技術】
従来、この種のドラム式洗濯機は図４および図５に示すように構成していた。以下、その構成について説明する。
【０００３】
図４に示すように、回転ドラム１は、外周部に多数の通水孔２を全面に設け、外槽３内に回転自在に配設している。回転ドラム１の回転中心に回転軸４の一端を略水平方向に固定し、回転軸４の他端にドラムプーリー５を固定している。駆動モータ６は、ベルト７によりドラムプーリー５と連結し、ドラム１を回転駆動する。
【０００４】
外槽３は、ボデー８よりばね体９で揺動可能に吊り下げ、防振ダンパー１０により脱水起動時の振動が低減され、定常脱水時の振動がボデー８に伝達されないように防振支持するとともに、脱水時の振動を低減する重り１１を設けている。略筒状のパッキング部材１２は、回転ドラム１の前面開口部１３に対応する外槽３の開口部１４とボデー前面開口部１５との間を連結するものである。ボデー前面開口部１５に窓１６を開閉自在に設けている。
【０００５】
ヒータ１７は、外槽３内の洗濯水を加熱するものである。制御装置１８は、駆動モータ６、ヒータ１７などの動作を制御し、洗濯、すすぎ、脱水などの一連の行程を逐次制御する。
【０００６】
パッキング部材１２は、図５に示すように、ボデー８を折り曲げた端部８ａにボデー側端部１９を嵌合し、ばね状のバンド２０によりボデー８に固着し、外槽側端部２１は、外槽３を折り曲げた端面３ａに嵌合し、バンド２２により外槽３に固着している。また、パッキング部材１２は、略同一の肉厚で、その長さ方向を部分的に後方かつ内方へ折り返して略環状の膨出部２３を形成している。
【０００７】
上記構成において動作を説明すると、窓１６を開いて回転ドラム１内に洗濯物を投入し、運転を開始すると、洗濯行程では、回転ドラム１は駆動モータ６によって第１の回転数Ｎ１（約５３ｒｐｍ）で回転駆動され、回転ドラム１内の洗濯物は持ち上げられて水面上に落下される。こうして洗濯行程が進行する。すすぎ行程においても洗濯行程と同様の動作を行う。
【０００８】
脱水行程では、回転ドラム１は第２の回転数Ｎ２（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。また、外槽３の開口部１４とボデー８の前面開口部１５との間を略筒状のパッキング部材１２により連結しているが、揺動体の揺動により略筒状のパッキング部材１２がたわむことにより、略筒状のパッキング部材１２を通してボデー８に振動が伝達されることはない。
【０００９】
【発明が解決しようとする課題】
このような従来の構成では、回転ドラム１の回転により、回転ドラム１内の洗濯物は、回転すると同時に前後方向に移動し、パッキング部材１２に接触しながら回転する。このとき、洗濯物はパッキング部材１２の折り返し部２４に当たるため、パッキング部材１２が摩耗して破れ、水漏れが発生することがあり、また、運転時に膨出部２３に溜まった水が飛び上がり、回転ドラム１内の洗濯物を濡らすという問題を有していた。
【００１０】
また、パッキング部材１２の折り返し部２４と、この折り返し部２４と対向した位置に設けたリブ２５に接触したときの接触面積が大きく、運転時に折り返し部２４がリブ２５に当たったとき、大きな衝撃音を発生するという問題を有していた。
【００１１】
本発明は上記従来の課題を解決するもので、パッキング部材の破れによる水漏れが発生するのを防止することを目的としている。
【００１２】
【課題を解決するための手段】
本発明は上記目的を達成するために、略水平方向に回転軸を有する回転ドラムを外槽により外包し、外槽を主体とする揺動体を揺動可能にボデーに収容し、洗濯時および脱水時に駆動モータにより回転ドラムを回転させる。回転ドラムの前面開口部に対応する外槽の開口部とボデー前面開口部との間を略筒状のパッキング部材で連結し、パッキング部材は、その長さ方向を部分的に後方かつ内方へ折り返すことにより外周側に膨出した膨出部を形成し、パッキング部材の内方へ折り返した内方突出部の先端には、膨出部を部分的に覆い径方向の厚みが回転軸方向の高さ寸法より小さい略環状の障壁部を一体に形成するとともに、回転ドラムの前面開口部と略環状の障壁部との間に略環状の障壁部に対向するようにリブを設けたものである。
【００１３】
これにより、洗濯行程またはすすぎ行程で、回転ドラムを回転させると、回転ドラムの回転により回転ドラム内の洗濯物は回転するとともに前後方向に移動し、パッキング部材に接触しながら回転し、このため、洗濯物はパッキング部材のリブに当たったり、乗り越えたりしながら回転するが、洗濯物は略環状の障壁部に当たるため、略環状の障壁部が多少摩耗するがパッキング部材が破れることがなく、パッキング部材の破れによる水漏れが発生するのを防止することができる。
【００１４】
【発明の実施の形態】
請求項１に記載の発明は、略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、前記回転ドラムの前面開口部に対応する外槽の開口部とボデーの前面開口部との間を連結した略筒状のパッキング部材とを備え、前記パッキング部材は、その長さ方向を部分的に後方かつ内方へ折り返すことにより外周側に膨出した膨出部を形成し、前記パッキング部材の内方へ折り返した内方突出部の先端には、前記膨出部を部分的に覆い径方向の厚みが回転軸方向の高さ寸法より小さい略環状の障壁部を一体に形成するとともに、前記回転ドラムの前面開口部と前記略環状の障壁部との間に前記略環状の障壁部に対向するようにリブを設けたものであり、回転ドラムの回転により回転ドラム内の洗濯物が回転するとともに前後方向に移動し、パッキング部材に接触しながら回転し、このとき、洗濯物はパッキング部材の略環状の障壁部に当たるため、略環状の障壁部が多少摩耗するがパッキング部材が破れることがなく、パッキング部材の破れによる水漏れが発生するのを防止することができる。また、略環状の障壁部により、外周側に形成した膨出部に溜まった水の飛び上がりを防止することができ、回転ドラム内の洗濯物を濡らすのを防止することができる。さらに、略環状の障壁部がこの障壁部と対向した位置に設けたリブに接触したときの接触面積を小さくすることができ、運転時に障壁部がリブに当たったときに発生する衝撃音を小さくすることができ、また、金型の肉厚確保による金型の耐久性を向上することができる。
【００１５】
【実施例】
以下、本発明の一実施例について、図１から図３を参照しながら説明する。なお、従来例と同じ構成のものは同一符号を付して説明を省略する。
【００１６】
図３に示すように、第１のモータ（駆動モータ）２６は、回転ドラム１を第１の回転数Ｎ１（たとえば、５３ｒｐｍ）で回転させて、洗濯またはすすぎをするものであり、第２のモータ（駆動モータ）２７は、回転ドラム１を第２の回転数Ｎ２（たとえば、１０００ｒｐｍ）で回転させて脱水する。これら第１のモータ２６および第２のモータ２７は、インダクションモータで構成し、それぞれベルト２８、２９を介して従動プーリー３０に連結している。
【００１７】
従動プーリー３０は、２種の減速比を有しており、第１のモータ２６をベルト２８を介して減速比が大きい従動プーリー３０ａと連結し、第２のモータ２７をベルト２９を介して減速比が小さい従動プーリー３０ｂと連結し、回転ドラム１の回転中心に一端を固定した回転軸４の他端に固定している。制御装置３１は、ヒータ１７、第１のモータ２６、第２のモータ２７などの動作を制御し、洗濯、すすぎ、脱水などの一連の行程を逐次制御する。
【００１８】
パッキング部材３２は、ゴムにより略筒状に形成し、回転ドラム１の前面開口部１３に対応する外槽３の開口部１４とボデー前面開口部１５との間を連結するものである。このパッキング部材３２のボデー側端部３３に、図１および図２に示すように、略環状の取り付け部材３４を取り付け、この略環状の取り付け部材３４にボデー８の前面側からねじ３５とナット３６により締着し、パッキング部材３２のボデー側端部３３を略環状の取り付け部材３４とボデー前面開口部１５の周縁内面部とで挟持している。
【００１９】
取り付け部材３４は略環状であるため、構成を簡素化することができ、この取り付け部材３４をパッキング部材３２にはめ込み、取り付け部材３４とボデー前面開口部１５の周縁内面部とでパッキング部材３２を挟持するだけでよいため、組立作業性、サービス性を向上することができる。
【００２０】
また、パッキング部材３２は、その長さ方向を部分的に後方かつ内方へ折り返して膨出部３７を形成し、その内方突出部先端に、パッキング部材３２の径方向の厚みＡより大きい高さＢを有する略環状の障壁部３８を一体に形成し、この略環状の障壁部３８に対向してリブ３９を設けている。
【００２１】
上記構成において動作を説明すると、窓１６を開いて回転ドラム１内に洗濯物を投入し、電源スイッチ（図示せず）をオンした後、制御装置３１に設けたスタートスイッチ（図示せず）を操作して運転を開始すると、給水弁４０が動作して給水し、水位検知手段（図示せず）により所定の水位を検知すると給水を停止し、第１のモータ２６を駆動する。洗濯行程では、洗濯物に水が含まれるため補給水しながら、回転ドラム１は第１のモータ２６によって第１の回転数Ｎ１で回転駆動され、回転ドラム１内の洗濯物は持ち上げられて水面上に落下される。
【００２２】
このとき、ヒータ１７に通電して外槽３内の洗濯水をほぼ一定の温度に制御しながら加熱する。洗濯行程が終了すると、排水ポンプ４１が動作して外槽３内の洗濯水を排水する。その後、すすぎ行程を経由して脱水行程では、回転ドラム１は第２の回転数Ｎ２で回転駆動され、洗濯物は遠心脱水される。
【００２３】
洗濯行程またはすすぎ行程で、回転ドラム１を第１の回転数Ｎ１で回転させると、回転ドラム１の回転により回転ドラム１内の洗濯物は回転するとともに前後方向に移動し、パッキング部材３２に接触しながら回転する。このため、洗濯物はパッキング部材３２のリブ３９に当たったり、乗り越えたりしながら回転するが、洗濯物は略環状の障壁部３８に当たるため、略環状の障壁部３８が多少摩耗するがパッキング部材３２が破れることがなく、パッキング部材３２の破れによる水漏れが発生するのを防止することができる。
【００２４】
また、脱水行程で、回転ドラム１を第２の回転数Ｎ２で回転させたとき、回転ドラム１内の洗濯物がアンバランス状態であると、外槽３を主体とする揺動体が振動（揺動）し、この振動によってパッキング部材３２は膨出部３７が伸縮することにより、略水平方向に伸縮を繰り返す。このとき、膨出部３７に溜まった水が飛び上がろうとするが、略環状の障壁部３８により水の飛び上がりを防止することができ、この飛び上がった水によって回転ドラム１内の洗濯物を濡らすのを防止することができる。
【００２５】
また、略環状の障壁部３８は、その径方向の厚みＡを高さ寸法Ｂより小さくしているので、パッキング部材３２が膨出部３７の伸縮によって、略水平方向に伸縮を繰り返すことで、障壁部３８がリブ３９に当たったときに発生する衝撃音などの異常音を小さくすることができる。
【００２６】
このように本実施例によれば、略筒状のパッキング部材３２のボデー側端部３３をボデー前面開口部１５の周縁内面部とで挟持する取り付け部材３４を略環状とすることで、取り付け部材３４の構成を簡素化することができ、取り付け部材３４をパッキング部材３２にはめ込み、取り付け部材３４とボデー前面開口部１５の周縁内面部とでパッキング部材３２を挟持するだけでよいため、組立作業性、サービス性を向上することができる。
【００２７】
また、取り付け部材３４の開口端部３４ａによりパッキング部材３２との押さえ代を調整することにより、パッキング部材３２と窓１６の内面との嵌着力を調整することができるため、窓１６の内面とパッキング部材３２との間の隙間から水が漏れるのを防止することができ、また、窓１６の開閉力を調整することもできる。また、略環状の取り付け部材３４とボデー前面開口部１５の周縁とを、ボデー８の前面側からねじ３５により締着し固定するので、組立作業性およびサービス性を向上することができる。
【００２８】
なお、本実施例では、略環状の取り付け部材３４の締着に、ねじ３５とナット３６を用いているが、ナット３６の代わりに、取り付け部材３４にバーリングを設け、そこにねじ加工を行った形状としても、同様の作用効果を得ることができる。
【００２９】
【発明の効果】
以上のように本発明の請求項１に記載の発明によれば、略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、前記回転ドラムの前面開口部に対応する外槽の開口部とボデーの前面開口部との間を連結した略筒状のパッキング部材とを備え、前記パッキング部材は、その長さ方向を部分的に後方かつ内方へ折り返すことにより外周側に膨出した膨出部を形成し、前記パッキング部材の内方へ折り返した内方突出部の先端には、前記膨出部を部分的に覆い径方向の厚みが回転軸方向の高さ寸法より小さい略環状の障壁部を一体に形成するとともに、前記回転ドラムの前面開口部と前記略環状の障壁部との間に前記略環状の障壁部に対向するようにリブを設けたから、回転ドラムの回転により回転ドラム内の洗濯物が回転するとともに前後方向に移動した場合でも、洗濯物はパッキング部材の略環状の障壁部に当たるため、略環状の障壁部が多少摩耗するがパッキング部材が破れることがなく、パッキング部材の破れによる水漏れが発生するのを防止することができる。また、略環状の障壁部により、外周側に形成した膨出部に溜まった水の飛び上がりを防止することができ、回転ドラム内の洗濯物を濡らすのを防止することができる。さらに、略環状の障壁部がこの障壁部と対向した位置に設けたリブに接触したときの接触面積を小さくすることができ、運転時に障壁部がリブに当たったときに発生する衝撃音を小さくすることができ、また、金型の肉厚確保による金型の耐久性を向上することができる。
【図面の簡単な説明】
【図１】本発明の第１の実施例のドラム式洗濯機の一部切欠した要部断面図
【図２】同ドラム式洗濯機の一部切欠した分解斜視図
【図３】同ドラム式洗濯機の断面図
【図４】従来のドラム式洗濯機の断面図
【図５】同ドラム式洗濯機の一部切欠した要部拡大断面図
【符号の説明】
１  回転ドラム
３  外槽
４  回転軸
８  ボデー
１３  前面開口部
１４  開口部
１５  ボデー前面開口部
２６  第１のモータ（駆動モータ）
２７  第２のモータ（駆動モータ）
３２  略筒状のパッキング部材
３３  ボデー側端部
３４  略環状の取り付け部材
【図１】
0003629868.tif 000002
【図２】
0003629868.tif 000003
【図３】
0003629868.tif 000004
【図４】
0003629868.tif 000005
【図５】
0003629868.tif 000006